(57)【特許請求の範囲】
【請求項１】
目標検出領域に含まれる植物の情報を取得するステップと、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップと、を含み、
前記目標検出領域に含まれる植物の情報を取得するステップは、前記目標検出領域の画像情報を取得するステップを含み、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップは、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御するステップを含み、前記第１の基準植物画像情報は、前記アレルギー植物の花咲状態の画像情報であることを特徴とする空気清浄用方法。
【請求項２】
前記目標検出領域の画像情報を取得するステップは、目標空気清浄機器及び／又は他の機器が画像撮像部材によって撮像した目標検出領域の画像情報を取得するステップを含むことを特徴とする請求項１に記載の空気清浄用方法。
【請求項３】
前記目標検出領域の画像情報、および予め記憶された各種の植物の第２の基準植物画像情報に基づいて、前記目標検出領域に含まれる少なくとも１つの植物を特定するステップと、
予め記憶された前記少なくとも１つの植物に対応する生長温度情報と生長湿度情報に基づいて、目標空気清浄機器が環境温度と環境湿度を調節するように制御するステップと、をさらに含むことを特徴とする請求項１に記載の空気清浄用方法。
【請求項４】
目標検出領域に含まれる植物の情報を取得するステップと、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップと、を含み、
前記目標検出領域に含まれる植物の情報を取得するステップは、目標検出領域の空気成分情報を取得するステップを含み、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップは、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御するステップを含むことを特徴とする空気清浄用方法。
【請求項５】
目標検出領域に含まれる植物の情報を取得するための取得モジュールと、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するための制御モジュールと、を備え、
前記取得モジュールは、前記目標検出領域の画像情報を取得し、
前記制御モジュールは、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御し、前記第１の基準植物画像情報は、前記アレルギー植物の花咲状態の画像情報であることを特徴とする空気清浄用装置。
【請求項６】
前記取得モジュールは、目標空気清浄機器及び／又は他の機器が画像撮像部材によって撮像した目標検出領域の画像情報を取得することを特徴とする請求項５に記載の空気清浄用装置。
【請求項７】
前記目標検出領域の画像情報、および予め記憶された各種の植物の第２の基準植物画像情報に基づいて、前記目標検出領域に含まれる少なくとも１つの植物を特定するための特定モジュールをさらに備え、
前記制御モジュールは、さらに、予め記憶された前記少なくとも１つの植物に対応する生長温度情報と生長湿度情報に基づいて、目標空気清浄機器が環境温度と環境湿度を調節するように制御することを特徴とする請求項５に記載の空気清浄用装置。
【請求項８】
目標検出領域に含まれる植物の情報を取得するための取得モジュールと、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するための制御モジュールと、を備え、
前記取得モジュールは、目標検出領域の空気成分情報を取得し、
前記制御モジュールは、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御することを特徴とする空気清浄用装置。
【請求項９】
プロセッサと、
プロセッサが実行可能な指令を記憶するためのメモリと、を備え、
前記プロセッサは、
目標検出領域に含まれる植物の情報を取得し、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するように構成され、
前記目標検出領域に含まれる植物の情報を取得することは、前記目標検出領域の画像情報を取得することを含み、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御することは、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御することを含み、前記第１の基準植物画像情報は、前記アレルギー植物の花咲状態の画像情報であることを特徴とするデータ伝送装置。
【請求項１０】
プロセッサと、
プロセッサが実行可能な指令を記憶するためのメモリと、を備え、
前記プロセッサは、
目標検出領域に含まれる植物の情報を取得し、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するように構成され、
前記目標検出領域に含まれる植物の情報を取得することは、目標検出領域の空気成分情報を取得することを含み、
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御することは、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御することを含むことを特徴とするデータ伝送装置。
【請求項１１】
プロセッサに実行されることにより、請求項１から請求項４のいずれか１項に記載の空気清浄用方法を実現することを特徴とするプログラム。
【請求項１２】
請求項１１に記載のプログラムが記録された記録媒体。
【発明の詳細な説明】
【相互参照】
【０００１】
本発明は、出願番号が２０１５１０２９０８６０.８であり、出願日が２０１５年５月２９日である中国特許出願を基に提出するものであり、当該中国特許出願の優先権を主張し、当該中国特許出願の全ての内容は、参照のため本願に援用される。
【技術分野】
【０００２】
本開示は、コンピュータ技術分野に関し、特に、空気清浄用方法、装置、プログラムおよび記録媒体に関する。
【背景技術】
【０００３】
電子技術の継続的な発展に伴って、家庭用電器はますます多様化になっており、より多くの家庭用電器は、プッシュおよび適用されている。空気清浄機は、現在では常用される家庭用電器になっており、一般的には空気中の汚染物、たとえば、ＰＭ２.５、粉塵、変な匂い、ホルムアルデヒドといった飾り付け汚染、細菌、花粉などを取り除くためのものである。
【０００４】
家に花の咲ける植物が栽培されている場合、花が咲いた後で植物の花粉は一般的に空気に拡散するが、一部の植物の花粉が人のアレルギー症状を引き起こす可能性があるので、ユーザは、空気清浄機をタイムリーに使用してこれらの植物の花粉を空気から清浄する必要がある。一般的には、ユーザは、花咲を見てまたは花の匂いを嗅いだ後、空気清浄機を起動して空気を清浄して、空気に含まれる花粉を除去しても良い。
【発明の概要】
【発明が解決しようとする課題】
【０００５】
本開示の実現中において、発明者らは少なくとも下記の課題を見出した。すなわち、上記過程を基に、ユーザが花咲を見てまたは花の匂いを嗅いでいるとき、大量の花粉が既に空気に拡散されているため、花粉により不良な影響をもたらす可能性を大きくしてしまう。
【課題を解決するための手段】
【０００６】
関連技術に存在する課題を解決するために、本開示は、空気清浄用方法、装置、プログラムおよび記録媒体を提供する。前記技術案は下記のとおりである。
【０００７】
本開示の実施例の第１の態様によれば、空気清浄用方法を提供する。前記方法は、目標検出領域に含まれる植物の情報を取得するステップと、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップと、を含む。
【０００８】
好ましくは、前記目標検出領域に含まれる植物の情報を取得するステップは、前記目標検出領域の画像情報を取得するステップを含み、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップは、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御するステップを含み、前記第１の基準植物画像情報は、前記アレルギー植物の花咲状態の画像情報である。
【０００９】
好ましくは、前記目標検出領域の画像情報を取得するステップは、目標空気清浄機器及び／又は他の機器が画像撮像部材によって撮像した目標検出領域の画像情報を取得するステップを含む。
【００１０】
好ましくは、前記方法は、前記目標検出領域の画像情報、および予め記憶された各種の植物の第２の基準植物画像情報に基づいて、前記目標検出領域に含まれる少なくとも１つの植物を特定するステップと、予め記憶された前記少なくとも１つの植物に対応する生長温度情報と生長湿度情報に基づいて、目標空気清浄機器が環境温度と環境湿度を調節するように制御するステップと、をさらに含む。
【００１１】
好ましくは、前記目標検出領域に含まれる植物の情報を取得するステップは、目標検出領域の空気成分情報を取得するステップを含み、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップは、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御するステップを含む。
【００１２】
本開示の実施例の第２の態様によれば、空気清浄用装置を提供する。前記装置は、目標検出領域に含まれる植物の情報を取得するための取得モジュールと、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するための制御モジュールと、を備える。
【００１３】
好ましくは、前記取得モジュールは、前記目標検出領域の画像情報を取得し、前記制御モジュールは、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御し、前記第１の基準植物画像情報は、前記アレルギー植物の花咲状態の画像情報である。
【００１４】
好ましくは、前記取得モジュールは、目標空気清浄機器及び／又は他の機器が画像撮像部材によって撮像した目標検出領域の画像情報を取得する。
【００１５】
好ましくは、前記装置は、前記目標検出領域の画像情報、および予め記憶された各種の植物の第２の基準植物画像情報に基づいて、前記目標検出領域に含まれる少なくとも１つの植物を特定するための特定モジュールをさらに備え、前記制御モジュールは、さらに、予め記憶された前記少なくとも１つの植物に対応する生長温度情報と生長湿度情報に基づいて、目標空気清浄機器が環境温度と環境湿度を調節するように制御する。
【００１６】
好ましくは、前記取得モジュールは、目標検出領域の空気成分情報を取得し、前記制御モジュールは、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御する。
【００１７】
本開示の実施例の第３の態様によれば、空気清浄用装置を提供する。前記装置は、プロセッサと、プロセッサが実行可能な指令を記憶するためのメモリと、を備え、前記プロセッサは、目標検出領域に含まれる植物の情報を取得し、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するように構成される。
本開示の実施例の第４の態様によれば、プロセッサに実行されることにより、本開示の実施例の第１の態様に記載の空気清浄用方法を実現するプログラムを提供する。
本開示の実施例の第５の態様によれば、本開示の実施例の第４の態様に記載のプログラムが記録された記録媒体を提供する。
【発明の効果】
【００１８】
本開示の実施例による技術案は、以下の格別な作用効果を含むことができる。
【００１９】
本開示の実施例では、目標検出領域に含まれる植物の情報を取得し、目標検出領域に含まれる植物の情報と所定のアレルギー植物の基準植物情報に基づいて、目標検出領域にアレルギー植物が含まれ且つアレルギー植物が花咲状態にあると判定した場合、目標空気清浄機器が空気清浄機能を起動するように制御する。これによれば、アレルギー植物の花咲時に空気清浄機器がそれを早期に発見して、空気中の花粉を清浄することで、花粉により不良な影響をもたらす可能性を低減することができる。
【００２０】
上述した一般的な記述および後続の詳細な記述は、単に例示的および解釈的なものであり、本発明を制限できるものでないと理解されるべきである。
【図面の簡単な説明】
【００２１】
ここでの図面は、明細書を構成する一部として見なされ、本開示に適した実施例を示し、かつ、明細書の文字記載とともに本開示の仕組みを解釈するために用いられる。
【００２２】
【図１】ある実施例による空気清浄用方法を示すフローチャートである。
【図２】ある実施例によるネットワークフレームを示す模式図である。
【図３】ある実施例による目標検出領域の特定時に撮像した画像を示す模式図である。
【図４】ある実施例による画像情報を処理する模式図である。
【図５】ある実施例による画像情報を処理する模式図である。
【図６】ある実施例による空気清浄用装置を示す構成模式図である。
【図７】ある実施例による空気清浄用装置を示す構成模式図である。
【図８】ある実施例による空気清浄用装置を示す構成模式図である。
【００２３】
上記図面には本開示の明確な実施例を示しており、後述にはより詳細に記述する。これら図面及び文字記述は、本開示思想の範囲を限定するものではなく、特定実施例を参照して本開示の概念を説明するためのものである。
【発明を実施するための形態】
【００２４】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置およびび方法の例に過ぎない。
【００２５】
実施例一
【００２６】
本開示の実施例は、空気清浄用方法を提供する。図１に示すように、当該方法の処理フローは、以下のステップを含んでも良い。
【００２７】
ステップ１０１では、目標検出領域に含まれる植物の情報を取得する。
【００２８】
ステップ１０２では、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御する。
【００２９】
本開示の実施例では、目標検出領域に含まれる植物の情報を取得し、目標検出領域に含まれる植物の情報と所定のアレルギー植物の基準植物情報に基づいて、目標検出領域にアレルギー植物が含まれ且つアレルギー植物が花咲状態にあると判定した場合、目標空気清浄機器が空気清浄機能を起動するように制御する。これによれば、アレルギー植物の花咲時に空気清浄機器がそれを早期に発見して、空気中の花粉を清浄することで、花粉により不良な影響をもたらす可能性を低減することができる。
【００３０】
実施例二
【００３１】
本開示の実施例は、空気清浄用方法を提供する。当該方法は、空気清浄機器（目標空気清浄機器と称しても良い）または空気清浄機器に対応するバックエンドサーバに用いられても良く、ここでは、空気清浄機器は、インテリジェント空気清浄機であっても良い。当該目標空気清浄機器には清浄機、プロセッサ、メモリを設けても良く、清浄機は、空気を清浄するために用いられても良く、プロセッサは、清浄機の動作を制御するために用いられても良く、メモリは、下記処理手順に必要とされるデータおよび生じるデータを記憶するために用いられても良い。空気清浄機器には、さらに、スクリーン、キーボード、画像撮像部材などの入出力機器を設けても良く、スクリーンは、情報を表示するために用いられても良く、タッチスクリーンであっても良く、キーボードは、ユーザが情報を入力するために用いられても良く、画像撮像部材は、画像を取得するために用いられ、例えばカメラなどであっても良い。空気清浄機器に対応するバックエンドサーバは、目標空気清浄機器を制御することができ、かつ、大量の情報、例えば、基準植物情報、ユーザ情報などを記憶することができる。バックエンドサーバは、プロセッサ、メモリを含んでも良く、プロセッサは、下記フローにおける情報マッチ、機器制御などの処理を行うために用いられても良く、メモリは、下記処理過程に必要とされるデータおよび生じるデータを記憶するために用いられても良い。本実施例の方法フローは、バックエンドサーバによって実行されても良い。本実施例では、実行主体がバックエンドサーバであることを例として技術案を詳細に説明するが、他の状況はそれと類似するため、本実施例では繰り返して説明しない。
【００３２】
以下、実施形態を参照しながら、図１に示す処理フローを詳細に説明する。内容は下記の通りであっても良い。
【００３３】
ステップ１０１では、目標検出領域に含まれる植物の情報を取得する。
【００３４】
ここでは、目標検出領域は、ユーザの家に栽培する植物が所在する領域であっても良い。植物情報は、目標検出領域の植物栽培または生長状況を特定するための情報であっても良く、画像情報であっても良いし、空気成分情報などであっても良い。
【００３５】
実施中において、バックエンドサーバは、空気清浄機器へ植物情報の取得要求を送信しても良い。空気清浄機器は、取得要求を受信した後、目標検出領域を特定し、当該領域に含まれる植物情報を取得し、さらに、植物情報をバックエンドサーバへ送信しても良い。また、バックエンドサーバは、さらに、空気清浄機器とバインディングされている他の機器（例えば、インテリジェントカメラなど）へ植物情報の取得要求を送信しても良く、他の機器は、対応する植物情報を取得してサーバへ送信しても良い。または、空気清浄機器または他の機器は待機状態において、一定の周期に従って目標検出領域の植物情報を自動で取得しても良く、それから、取得された植物情報をリアルタイムにバックエンドサーバへ送信しても良い。
【００３６】
好ましくは、植物情報の違いによって、ステップ１０１の処理が様々であっても良く、以下、いくつかの実行可能な処理方式を提供する。
【００３７】
方式一としては、目標検出領域の画像情報を取得する。
【００３８】
実施中において、バックエンドサーバは、空気清浄機器へ画像情報の取得要求を送信しても良い。目標空気清浄機器は、取得要求を受信した後、画像撮像部材を起動して当該目標検出領域の画像情報を撮像し、さらに、画像情報をバックエンドサーバへ送信しても良い。または、バックエンドサーバは、さらに、空気清浄機器とバインディングされている他の機器（例えば、インテリジェントカメラなど）へ画像情報の取得要求を送信しても良く、他の機器は、対応する画像情報を取得してサーバへ送信しても良い。または、空気清浄機器または他の機器は待機状態において、一定の周期に従って目標検出領域の画像情報を自動で取得しても良く、それから、取得された画像情報をリアルタイムにバックエンドサーバへ送信しても良い。
【００３９】
好ましくは、目標検出領域の画像情報は、画像撮像能力を有する何れかの機器によって取得されても良く、対応する処理としては、目標空気清浄機器及び／又は他の機器が画像撮像部材によって撮像した目標検出領域の画像情報を取得しても良い。
【００４０】
ここでは、他の機器は、画像撮像部材が取り付けられている、画像撮像能力を有する何れかの機器であっても良い。
【００４１】
実施中において、他の機器が画像撮像部材によって撮像した目標検出領域の画像情報は、各種のデータ伝送方式で目標空気清浄機器へ伝送されても良く、さらに、目標空気清浄機器は、画像情報をバックエンドサーバへ送信しても良い。または、他の機器が画像情報をバックエンドサーバへ直接送信しても良く、バックエンドサーバには空気清浄機器と他の機器とのバインディング関係が記憶されており、画像情報を受信した後、当該画像情報が当該空気清浄機器近傍の目標検出領域の画像情報であることを知ることができる。対応するネットワークフレームが図２に示されるようなものであっても良い。バックエンドサーバは、目標検出領域の１つの画像情報を取得しても良い。または、バックエンドサーバが異なる機器（空気清浄機器と他の機器）によって目標検出領域の複数の画像情報を取得しても良く、画像情報毎がそれぞれ異なる角度で撮像されており、これによれば、後続画像分析の正確度を向上させることができる。
【００４２】
方式二としては、目標検出領域の空気成分情報を取得する。
【００４３】
ここでは、空気成分情報は、空気に含まれる物質の化学特性情報（例えば、化学成分など）または物理特性情報（例えば、粒子状物質直径など）であっても良い。
【００４４】
実施中において、バックエンドサーバは、目標空気清浄機器へ空気成分情報の取得要求を送信しても良い。目標空気清浄機器は、取得要求を受信した後、空気検出器を起動して当該領域の空気成分情報を検出し、さらに、空気成分情報をバックエンドサーバへ送信しても良い。または、空気清浄機器は待機状態において、一定の周期に従って目標検出領域の空気成分情報を自動で取得しても良く、それから、取得された空気成分情報をリアルタイムにバックエンドサーバへ送信しても良い。
【００４５】
上記目標検出領域はユーザによって設定されても良く、ユーザは空気清浄機器を目標検出領域に置いても良く、さらに、空気清浄機器における画像撮像部材を目標検出領域に位置合わせても良い。または、方式一の状況については、さらに、バックエンドサーバによって、植物情報を取得する前に目標検出領域を特定しても良い。対応的に、バックエンドサーバは空気清浄機器へ領域特定要求を送信し、空気清浄機器は領域特定要求を受信した後、当該機器における画像撮像部材を起動して、撮像可能な全ての領域の画像を撮像し、撮像された画像をバックエンドサーバへ送信しても良く、バックエンドサーバは、上記画像の内容に基づいて、植物が含まれる領域を目標検出領域として特定しても良く、上記撮像の画像が図３に示すようなものであってもよく、それから、バックエンドサーバは、特定結果を空気清浄機器へ送信しても良く、さらに、空気清浄機器は目標検出領域を特定し、かつ、画像撮像部材が目標検出領域に向くように制御しても良い。上記特定目標検出領域の処理は、空気清浄機器自体によって実行されても良い。
【００４６】
ステップ１０２では、目標検出領域に含まれる植物の情報と所定のアレルギー植物の基準植物情報に基づいて、目標検出領域にアレルギー植物が含まれ且つアレルギー植物が花咲状態にあると判定した場合、目標空気清浄機器が空気清浄機能を起動するように制御する。
【００４７】
ここでは、基準植物情報は、ある植物が目標検出領域に存在し且つ花咲状態にあるか否かを判定するための基準情報、例えば、基準植物画像情報、基準花粉成分情報などであっても良い。
【００４８】
実施中において、バックエンドサーバは、各種の植物の基準植物情報を植物の標識情報と対応付けて記憶しても良く、基準植物情報は、技術者によって入力されても良く、または、ネットワークによって取得しても良い。バックエンドサーバにはユーザの個人アカウント情報が記憶されても良く、ユーザの個人アカウント情報には、ユーザのアレルギー症状を引き起こすアレルギー植物の標識情報が記憶されても良い。当該アレルギー植物の標識情報は、ユーザによって空気清浄機器に入力され、かつ、空気清浄機器によってバックエンドサーバへ伝送されても良いし、バックエンドサーバにおいてユーザの電子カルテを検索した後で電子カルテから取得されても良い。空気清浄機器または他の機器から送信された目標検出領域に含まれる植物の情報を受信した後、バックエンドサーバは、空気清浄機器または他の機器とバインディングされているアカウントを特定し、かつ、対応する個人アカウント情報を取得し、その中からアレルギー植物の標識情報を取得しても良く、さらに、アレルギー植物の標識情報によって、ローカルに記憶されている対応のアレルギー植物の基準植物情報を取得し、基準植物情報を上記取得された目標検出領域に含まれる植物の情報と対比し、対比結果に応じて目標検出領域には花咲状態にあるアレルギー植物が存在しているか否かを判断しても良い。目標検出領域にアレルギー植物が含まれ且つアレルギー植物が花咲状態にあると判定した後、バックエンドサーバは、目標空気清浄機器へ空気清浄要求を送信して、目標空気清浄機器が空気清浄機能を起動するように制御しても良い。目標空気清浄機器は、空気清浄要求を受信した後、空気清浄機能を起動して空気を清浄しても良い。
【００４９】
好ましくは、上記ステップ１０１の２つの処理方式に対して、ステップ１０２の処理は対応的に異なっても良く、対応する処理は、下記の通りであっても良い。
【００５０】
上記方式一に対して、ステップ１０２の処理としては、目標検出領域の画像情報と所定のアレルギー植物の第１の基準植物画像情報に基づいて、目標検出領域にアレルギー植物が含まれ且つアレルギー植物が花咲状態にあると判定した場合、目標空気清浄機器が空気清浄機能を起動するように制御しても良く、ここでは、第１の基準植物画像情報は、アレルギー植物の花咲状態の画像情報である。
【００５１】
実施中において、バックエンドサーバは、各種の植物の花咲状態の画像情報を植物の標識情報と対応付けて記憶しても良い。空気清浄機器または他の機器から送信された目標検出領域の画像情報を受信した後、バックエンドサーバは、空気清浄機器または他の機器とバインディングされているアカウントを特定し、かつ、対応する個人アカウント情報を取得し、その中からアレルギー植物の標識情報を取得しても良く、さらに、アレルギー植物の標識情報によって、ローカルに記憶されている対応のアレルギー植物の花咲状態の画像情報を取得しても良く、さらに、上記取得された目標検出領域の画像情報においてアレルギー植物の花咲状態の画像情報と類似する画像領域を検索しても良い。ここでは、アレルギー植物の花咲状態の画像情報における外形輪郭情報と色組合せ情報に基づいてマッチング検索を行ってもよく、図４に示すように、取得された画像情報中のある画像領域と記憶されている花咲状態の画像情報とは一定の画像類似度を満たす時、目標検出領域には花咲状態にあるアレルギー植物が存在していると判定しても良く、さらに、バックエンドサーバは、空気清浄機器へ空気清浄要求を送信して、空気清浄機器が空気清浄機能を起動するように制御しても良い。空気清浄機器は、空気清浄要求を受信した後、空気清浄機能を起動して空気を清浄しても良い。
【００５２】
上記方式二に対して、ステップ１０２の処理としては、目標検出領域の空気成分情報と所定のアレルギー植物の花粉成分情報に基づいて、目標検出領域の空気にアレルギー植物の花粉が含まれていると判定した場合、目標空気清浄機器が空気清浄機能を起動するように制御しても良い。
【００５３】
実施中において、バックエンドサーバは、各種の植物の花粉成分情報を植物の標識情報と対応付けて記憶しても良く、花粉成分情報は、花粉の化学特性情報（例えば、化学成分など）または物理特性情報（例えば、粒子状物質直径など）であっても良い。空気清浄機器から送信された目標検出領域の空気成分情報を受信した後、バックエンドサーバは、空気清浄機器とバインディングされているアカウントを特定し、かつ、対応する個人アカウント情報を取得し、その中からアレルギー植物の標識情報を取得しても良く、さらに、アレルギー植物の標識情報によって、ローカルに記憶されている対応のアレルギー植物の花粉成分情報を取得しても良く、さらに、上記取得された標検出領域の空気成分情報においてアレルギー植物の花粉成分情報とマッチする成分を検索しても良い。ここでは、化学成分に基づいてマッチしているか否かを特定しても良いし、粒子状物質直径に基づいてマッチしているか否かを特定しても良い。それから、検索結果に応じて、目標検出領域には花咲状態にあるアレルギー植物が存在しているか否かを判断しても良く、目標検出領域にアレルギー植物が含まれ且つアレルギー植物が花咲状態にあると判定した後、バックエンドサーバは、空気清浄機器へ空気清浄要求を送信して、空気清浄機器が空気清浄機能を起動するように制御しても良い。空気清浄機器は、空気清浄要求を受信した後、空気清浄機能を起動して空気を清浄しても良い。
【００５４】
好ましくは、バックエンドサーバは、空気清浄機器が植物生長に適切な環境温度と環境湿度を提供するように制御しても良く、対応する処理方式は、下記の通りであっても良い。目標検出領域の画像情報、および予め記憶された各種の植物の第２の基準植物画像情報に基づいて、目標検出領域に含まれる少なくとも１つの植物を特定し、予め記憶された少なくとも１つの植物に対応する生長温度情報と生長湿度情報に基づいて、目標空気清浄機器が環境温度と環境湿度を調節するように制御する。
【００５５】
ここでは、第２の基準植物画像情報は、バックエンドサーバに記憶されている植物の画像情報であっても良いし、花咲状態の画像情報であっても良いし、無花状態などの任意状態の画像情報であっても良い。
【００５６】
実施中において、バックエンドサーバは、各種の植物の標識情報に対応して１つまたは複数の画像情報を記憶しても良く、これらの画像情報は、植物の異なる状態のピクチャであっても良い。かつ、バックエンドサーバは、さらに、予め各種の植物の生長温度情報及び生長湿度情報を植物の標識情報と対応付けて記憶しても良い。空気清浄機器には、冷凍、加熱、加湿、除湿などの機能を設けても良い。
【００５７】
目標検出領域の画像情報を取得した後、バックエンドサーバは、所定の植物画像特定規則に従って、画像情報に対して領域を１本の植物の単位で区画しても良く、例えば、植物の茎、葉、花などの構造に基づいて区画し且つ上記画像情報に含まれる全ての植物に対応する画像領域を特定しても良い。さらに、区画された各植物の画像領域を予め記憶された各種の植物の第２の基準植物画像情報とマッチ判定しても良く、ここでは、植物の外形輪郭と色組合せに基づいてそれぞれ比対しても良く、図５に示すように、上記２つの画像情報における植物の外形輪郭と色組合せが何れも各自の所定の類似度を満たしている場合、当該画像領域に対応する植物を第２の基準植物画像情報における植物と判定しても良く、このとき、対応する植物の標識情報を取得しても良い。
【００５８】
バックエンドサーバは上記取得された植物の標識情報に基づいて、予め記憶された対応の植物の生長温度情報と生長湿度情報を検索しても良く、さらに、目標検出領域における全ての植物の生長温度情報と生長湿度情報を取得しても良く、それから、目標検出領域に適切な温度範囲と湿度範囲を特定しても良い。バックエンドサーバは、目標検出領域に適切な温度範囲と湿度範囲を空気清浄機器へ送信しても良く、空気清浄機器は、この適切な温度範囲と湿度範囲に基づいて、それが有する冷凍、加熱、加湿、除湿などの機能に応じて、目標検出領域の環境温度と環境湿度を対応する温度範囲と湿度範囲に調節しても良い。
【００５９】
本開示の実施例では、目標検出領域に含まれる植物の情報を取得し、目標検出領域に含まれる植物の情報と所定のアレルギー植物の基準植物情報に基づいて、目標検出領域にアレルギー植物が含まれ且つアレルギー植物が花咲状態にあると判定した場合、目標空気清浄機器が空気清浄機能を起動するように制御する。これによれば、アレルギー植物の花咲時に空気清浄機器がそれを早期に発見して、空気中の花粉を清浄することで、花粉により不良な影響をもたらす可能性を低減することができる。
【００６０】
実施例三
【００６１】
同じ技術思想を基に、本開示の実施例は、空気清浄用装置をさらに提供する。図６に示すように、当該装置は、取得モジュール６１０と制御モジュール６２０とを備える。
【００６２】
取得モジュール６１０は、目標検出領域に含まれる植物の情報を取得する。
【００６３】
制御モジュール６２０は、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御する。
【００６４】
好ましくは、前記取得モジュール６１０は、前記目標検出領域の画像情報を取得し、前記制御モジュール６２０は、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御し、前記第１の基準植物画像情報は、前記アレルギー植物の花咲状態の画像情報である。
【００６５】
好ましくは、前記取得モジュール６１０は、目標空気清浄機器及び／又は他の機器が画像撮像部材によって撮像した目標検出領域の画像情報を取得する。
【００６６】
好ましくは、図７に示すように、前記装置は、前記目標検出領域の画像情報、および予め記憶された各種の植物の第２の基準植物画像情報に基づいて、前記目標検出領域に含まれる少なくとも１つの植物を特定するための特定モジュール６３０をさらに備え、前記制御モジュール６２０は、さらに、予め記憶された前記少なくとも１つの植物に対応する生長温度情報と生長湿度情報に基づいて、目標空気清浄機器が環境温度と環境湿度を調節するように制御する。
【００６７】
好ましくは、前記取得モジュール６１０は、目標検出領域の空気成分情報を取得し、前記制御モジュール６２０は、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御する。
【００６８】
上記実施例における装置中の各モジュールが操作を実行する具体的な形態は、当該方法に関する実施例において詳細に記述されているため、ここで詳細に説明しない
【００６９】
本開示の実施例では、目標検出領域に含まれる植物の情報を取得し、目標検出領域に含まれる植物の情報と所定のアレルギー植物の基準植物情報に基づいて、目標検出領域にアレルギー植物が含まれ且つアレルギー植物が花咲状態にあると判定した場合、目標空気清浄機器が空気清浄機能を起動するように制御する。これによれば、アレルギー植物の花咲時に空気清浄機器がそれを早期に発見して、空気中の花粉を清浄することで、花粉により不良な影響をもたらす可能性を低減することができる。
【００７０】
なお、上記実施例による空気清浄用装置が空気を清浄する時、単に上記各機能モジュールの区画を例として説明するが、実際応用では、必要に応じて上記機能をそれぞれ異なる機能モジュールによって完成しても良い、すなわち、装置の内部構造を異なる機能モジュールに区画して、上記した機能の全部又は一部を完成させる。また、上記実施例による清浄空気装置は、空気清浄用方法実施例と同じ思想に属し、具体的な実施手順は、方法実施例を参照すれば良いため、ここで繰り返し説明しない。
【００７１】
実施例四
【００７２】
図８は、ある実施例による空気清浄用装置１９００のためのブロック図である。例えば、装置１９００はサーバが提供されても良い。図８を参照すると、装置１９００は、処理ユニット１９２２を備え、さらに、１つまたは複数のプロセッサと、処理ユニット１９２２が実行可能な指令、例えばアプリケーションプログラムを記憶するためのメモリ１９３２によって代表されるメモリリソースと、を備える。メモリ１９３２に記憶されているアプリケーションプログラムは、それぞれ１組の指令に対応する１つ以上のモジュールを有しても良い。また、処理ユニット１９２２は、前記使用記録を表示する方法を実行するために、指令を実行するように構成されても良い。
【００７３】
装置１９００は、さらに、装置１９００の電源管理を実行するように構成される電源ユニット１９２６と、装置１９００をネットワークに接続するように構成される有線または無線ネットワークインターフェース１９５０と、入出力（Ｉ/Ｏ）インターフェース１９５８と、を備えても良い。装置１９００は、メモリ１９３２に記憶されているオペレーティングシステム、例えばＷｉｎｄｏｗｓ（登録商標） ＳｅｒｖｅｒＴＭ、Ｍａｃ ＯＳ ＸＴＭ、Ｕｎｉｘ（登録商標）ＴＭ、 Ｌｉｎｕｘ（登録商標）ＴＭ、ＦｒｅｅＢＳＤＴＭまたは類似するものを操作しても良い。
【００７４】
装置１９００は、さらに、メモリ、およびメモリに記憶されている１つ以上のプログラムを備えても良く、かつ、１つ以上のプロセッサは、目標検出領域に含まれる植物の情報を取得し、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するという操作を行うための指令が含まれている前記１つ以上のプログラムを実行するように構成される。
【００７５】
好ましくは、前記目標検出領域に含まれる植物の情報を取得するステップは、前記目標検出領域の画像情報を取得するステップを含む。
【００７６】
前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップは、前記目標検出領域の画像情報と所定のアレルギー植物の第１の基準植物画像情報とに基づいて、前記目標検出領域に前記アレルギー植物が含まれ且つ前記アレルギー植物が花咲状態にあると判定した場合、目標空気清浄機器が空気清浄機能を起動するように制御するステップを含み、前記第１の基準植物画像情報は、前記アレルギー植物の花咲状態の画像情報である。
【００７７】
好ましくは、前記目標検出領域の画像情報を取得するステップは、目標空気清浄機器及び／又は他の機器が画像撮像部材によって撮像した目標検出領域の画像情報を取得するステップを含む。
【００７８】
好ましくは、前記方法は、前記目標検出領域の画像情報、および予め記憶された各種の植物の第２の基準植物画像情報に基づいて、前記目標検出領域に含まれる少なくとも１つの植物を特定するステップと、予め記憶された前記少なくとも１つの植物に対応する生長温度情報と生長湿度情報に基づいて、目標空気清浄機器が環境温度と環境湿度を調節するように制御するステップと、をさらに含む。
【００７９】
好ましくは、前記目標検出領域に含まれる植物の情報を取得するステップは、目標検出領域の空気成分情報を取得するステップを含み、前記目標検出領域に含まれる植物の情報と所定のアレルギー植物の基準植物情報とに基づいて、前記目標検出領域に前記アレルギー植物が含まれ且つ前記アレルギー植物が花咲状態にあると判定した場合、目標空気清浄機器が空気清浄機能を起動するように制御するステップは、前記目標検出領域の空気成分情報と所定のアレルギー植物の花粉成分情報に基づいて、前記目標検出領域の空気に前記アレルギー植物の花粉が含まれていると判定した場合、目標空気清浄機器が空気清浄機能を起動するように制御するステップを含む。
【００８０】
本開示の実施例では、目標検出領域に含まれる植物の情報を取得し、目標検出領域に含まれる植物の情報と所定のアレルギー植物の基準植物情報に基づいて、目標検出領域にアレルギー植物が含まれ且つアレルギー植物が花咲状態にあると判定した場合、目標空気清浄機器が空気清浄機能を起動するように制御する。これによれば、アレルギー植物の花咲時に空気清浄機器がそれを早期に発見して、空気中の花粉を清浄することで、花粉により不良な影響をもたらす可能性を低減することができる。
【００８１】
当業者は、明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。 
【図１】
0006353163.tif 000002
【図２】
0006353163.tif 000003
【図３】
0006353163.tif 000004
【図４】
0006353163.tif 000005
【図５】
0006353163.tif 000006
【図６】
0006353163.tif 000007
【図７】
0006353163.tif 000008
【図８】
0006353163.tif 000009